(57)【特許請求の範囲】
【請求項１】
複数種類の図柄を周囲に配置した複数のリールと、
それぞれのリールの回転を制御する主制御基板と、
前記主制御基板に対して電気的に接続可能に構成されるとともに所定の遊技演出を制御する副制御基板と、
前記主制御基板と前記副制御基板とを電気的に接続する接続構造とを備えた遊技機であって、
前記主制御基板及び前記副制御基板を着脱可能に構成された取付部材と、前記取付部材に固定されるカバー体と、を備えており、
前記取付部材は、前記主制御基板を着脱する方向に移動させて着脱することができるように構成されており、
前記カバー体は、前記主制御基板の少なくとも一部及び前記副制御基板の少なくとも一部を覆うとともに前記接続構造の全体を覆い、且つ、前記取付部材に対して嵌め殺しにされて固定され、前記主制御基板と係合することにより前記主制御基板を着脱する方向の動きを拘束するように構成されている、ことを特徴とする遊技機。
【請求項２】
複数種類の図柄を周囲に配置した複数のリールと、
それぞれのリールの回転を制御する主制御基板と、
前記主制御基板に対して電気的に接続可能に構成されるとともに所定の遊技演出を制御する副制御基板とを備えた遊技機であって、
前記主制御基板及び前記副制御基板を着脱可能に構成された取付部材と、前記取付部材に固定されるカバー体と、を備えており、
前記取付部材は、前記主制御基板を着脱する方向に移動させて着脱することができるように構成されており、
前記カバー体は、前記主制御基板及び前記副制御基板の着脱を拘束するように取付部材に固定され、且つ、前記取付部材に対して嵌め殺しにされて固定され、前記主制御基板と係合することにより前記主制御基板を着脱する方向の動きを拘束するように構成されている、ことを特徴とする遊技機。
【請求項３】
複数種類の図柄を周囲に配置した複数のリールと、
それぞれのリールの回転を制御する主制御基板と、
前記主制御基板に対して電気的に接続可能に構成されるとともに所定の遊技演出を制御する副制御基板と、
前記主制御基板と前記副制御基板とを電気的に接続する接続構造とを備えた遊技機であって、
前記主制御基板及び前記副制御基板を着脱可能に構成された取付部材と、前記取付部材に固定されるカバー体と、を備えており、
前記取付部材は、前記主制御基板を着脱する方向に移動させて着脱することができるように構成されており、
前記カバー体は、前記主制御基板の少なくとも一部及び前記接続構造の全体を覆うとともに、前記副制御基板の着脱を拘束するように取付部材に固定され、且つ、前記取付部材に対して嵌め殺しにされて固定され、前記主制御基板と係合することにより前記主制御基板を着脱する方向の動きを拘束するように構成されている、ことを特徴とする遊技機。
【請求項４】
複数種類の図柄を周囲に配置した複数のリールと、
それぞれのリールの回転を制御する主制御基板と、
前記主制御基板に対して電気的に接続可能に構成されるとともに所定の遊技演出を制御する副制御基板と、
前記主制御基板と前記副制御基板とを電気的に接続する接続構造とを備えた遊技機であって、
前記主制御基板及び前記副制御基板を着脱可能に構成された取付部材と、前記取付部材に固定されるカバー体と、を備えており、
前記取付部材は、前記主制御基板を着脱する方向に移動させて着脱することができるように構成されており、
前記カバー体は、前記副制御基板の少なくとも一部及び前記接続構造の全体を覆うとともに、前記主制御基板の着脱を拘束するように取付部材に固定され、且つ、前記取付部材に対して嵌め殺しにされて固定され、前記主制御基板と係合することにより前記主制御基板を着脱する方向の動きを拘束するように構成されている、ことを特徴とする遊技機。
【発明の詳細な説明】
【技術分野】
【０００１】
本発明は、遊技機に関する。
【背景技術】
【０００２】
メダルや遊技球などを遊技媒体として遊技を行う遊技機として、例えばスロットマシン等が知られている。
【０００３】
スロットマシンは、正面側に開口する本体キャビネットと、本体キャビネットの正面側に開閉自在に支持される前扉とを備えるスロット筺体内に、複数の図柄を周面に配置したリールを複数個設置されてリールセットを構成しており、リールセットの周囲所定位置には遊技状態に応じて適宜種々な画像を表示可能な画像表示装置を備えており、また、リールの回転を停止させるストップスイッチとして例えばストップボタンなどを設けられている。
【０００４】
スロットマシンにおける遊技では、通常、遊技媒体の投入を前提として回転する複数のリールを、それぞれのリールに対応したストップボタンの入力で停止させることが行われる。また、スロットマシンには、予め定められた入賞役への当選当否を抽選する内部抽選手段が設けられている。そして、スロットマシンでは、内部抽選手段で行われる抽選で入賞役に当選するとともに、ストップボタンの入力でリールの回転が停止した際に、複数のリールに配置された複数種類の図柄のうち所定の位置に停止表示された図柄の組み合わせが当選した入賞役に対応して定められた図柄の組み合わせとなっている場合に、その入賞役への入賞が成立し、その入賞役の内容に応じて遊技者に対するメダルの払い出しが行われる。こうしてスロットマシンの遊技が進行していくことになる。このとき、スロットマシンでは、遊技の進行状況に応じて、音や光や画層や映像などを適宜用いて遊技の演出が行われる。例えば、遊技の演出においては、画像表示装置に演出用の画像が表示される等といったことが行われる。
【０００５】
スロットマシンには、スロット筺体内の所定位置にリールの回転等の各種制御やメダルの払い出しや遊技演出を電気的に制御する制御基板として、主制御基板と副制御基板が備えられる。
【０００６】
スロットマシンにおいては、例えば特許文献１に示すように、リールの回転の制御はメダル払い出しに影響するものであり、主制御基板で制御される。例えば、スロットマシンにおいては、ストップボタンの入力が行われるとその入力情報は主制御基板で受けとられ、主制御基板がリールの回転を停止させるように電気的制御を実行する。
【０００７】
また、通常、主制御基板には、ストップボタン等の各種スイッチ類からの入力信号を受けて各種処理や演算を行うＣＰＵや、各種処理を実行するためのプログラムや乱数テーブルを格納したＲＯＭや、乱数テーブルなどから読み出された数値等の各種データを一時的に記憶するＲＡＭなどが設けられており、これらが所定の動作を行って上記した内部抽選手段の役割をはたす。このように、メダルの払い出しに関わるリールの回転や内部抽選手段の実行が主制御基板で制御されるのである。これに対して、遊技の進行状況に応じた遊技の演出については、副制御基板で制御される。副制御基板は、主制御基板から適宜情報を受け取り、遊技の状況に応じた遊技の演出を制御する。
【先行技術文献】
【特許文献】
【０００８】
【特許文献１】特開２０１１−２４５００９号公報
【発明の概要】
【発明が解決しようとする課題】
【０００９】
特許文献１に示すようなスロットマシンのなかには、入賞役の成立の条件として、複数のリールが回転停止した際に所定位置に停止表示されている図柄の組み合わせのみならず、ストップボタンによるリールの停止順序をも要請するようなものを、予め定められた入賞役に含むものがある。さらに、昨今、そのようなスロットマシンにおいて、所定の図柄の組み合わせが成立した場合に、所定期間、遊技の演出の中でリールの停止順序を表示することで入賞役への入賞を容易にして遊技者にとって有利な遊技状態を形成する機能を有するものが登場してきている。このような機能を有するスロットマシンとしては、例えば、いわゆるＡＴ（アシストタイム）機やＡＲＴ（アシストリプレイタイム）機等と呼ばれるものを挙げることができる。
【００１０】
このとき、スロットマシンにおいて、リールの回転停止の制御は、入賞役の成否に関わる制御であり、主制御基板で制御されるが、リールの停止順序の表示については、これも入賞役の成否に関わる制御であるものの、遊技の演出の一環として示される点等を考慮して副制御基板で制御されることが多い。
【００１１】
こうしたことから、昨今のスロットマシンにおいては、入賞役の成否が、主制御基板のみならず、副制御基板でも制御されるようになってきている。したがって、主制御基板に対する不正防止の実現のみならず副制御基板に対しても効果的な不正防止を実現することが強く要請されている。
【００１２】
本発明は、これらの要請を考慮しつつなされたものであり、副制御基板に対する不正防止を効果的に実現しうる遊技機を提供することを目的とする。
【課題を解決するための手段】
【００１３】
本発明は、（１）複数種類の図柄を周囲に配置した複数のリールと、
それぞれのリールの回転を制御する主制御基板と、
前記主制御基板に対して電気的に接続可能に構成されるとともに所定の遊技演出を制御する副制御基板と、
前記主制御基板と前記副制御基板とを電気的に接続する接続構造とを備えた遊技機であって、
前記主制御基板及び前記副制御基板を着脱可能に構成された取付部材と、前記取付部材に固定されるカバー体と、を備えており、
前記取付部材は、前記主制御基板を着脱する方向に移動させて着脱することができるように構成されており、
前記カバー体は、前記主制御基板の少なくとも一部及び前記副制御基板の少なくとも一部を覆うとともに前記接続構造の全体を覆い、且つ、前記取付部材に対して嵌め殺しにされて固定され、前記主制御基板と係合することにより前記主制御基板を着脱する方向の動きを拘束するように構成されている、ことを特徴とする遊技機、
（２）複数種類の図柄を周囲に配置した複数のリールと、
それぞれのリールの回転を制御する主制御基板と、
前記主制御基板に対して電気的に接続可能に構成されるとともに所定の遊技演出を制御する副制御基板とを備えた遊技機であって、
前記主制御基板及び前記副制御基板を着脱可能に構成された取付部材と、前記取付部材に固定されるカバー体と、を備えており、
前記取付部材は、前記主制御基板を着脱する方向に移動させて着脱することができるように構成されており、
前記カバー体は、前記主制御基板及び前記副制御基板の着脱を拘束するように取付部材に固定され、且つ、前記取付部材に対して嵌め殺しにされて固定され、前記主制御基板と係合することにより前記主制御基板を着脱する方向の動きを拘束するように構成されている、ことを特徴とする遊技機、
（３）複数種類の図柄を周囲に配置した複数のリールと、
それぞれのリールの回転を制御する主制御基板と、
前記主制御基板に対して電気的に接続可能に構成されるとともに所定の遊技演出を制御する副制御基板と、
前記主制御基板と前記副制御基板とを電気的に接続する接続構造とを備えた遊技機であって、
前記主制御基板及び前記副制御基板を着脱可能に構成された取付部材と、前記取付部材に固定されるカバー体と、を備えており、
前記取付部材は、前記主制御基板を着脱する方向に移動させて着脱することができるように構成されており、
前記カバー体は、前記主制御基板の少なくとも一部及び前記接続構造の全体を覆うとともに、前記副制御基板の着脱を拘束するように取付部材に固定され、且つ、前記取付部材に対して嵌め殺しにされて固定され、前記主制御基板と係合することにより前記主制御基板を着脱する方向の動きを拘束するように構成されている、ことを特徴とする遊技機、
（４）複数種類の図柄を周囲に配置した複数のリールと、
それぞれのリールの回転を制御する主制御基板と、
前記主制御基板に対して電気的に接続可能に構成されるとともに所定の遊技演出を制御する副制御基板と、
前記主制御基板と前記副制御基板とを電気的に接続する接続構造とを備えた遊技機であって、
前記主制御基板及び前記副制御基板を着脱可能に構成された取付部材と、前記取付部材に固定されるカバー体と、を備えており、
前記取付部材は、前記主制御基板を着脱する方向に移動させて着脱することができるように構成されており、
前記カバー体は、前記副制御基板の少なくとも一部及び前記接続構造の全体を覆うとともに、前記主制御基板の着脱を拘束するように取付部材に固定され、且つ、前記取付部材に対して嵌め殺しにされて固定され、前記主制御基板と係合することにより前記主制御基板を着脱する方向の動きを拘束するように構成されている、ことを特徴とする遊技機、を要旨とする。
【発明の効果】
【００１５】
本発明によれば、副制御基板に対する不正防止を効果的に実現しうる遊技機を得ることができる。
【図面の簡単な説明】
【００１６】
【図１】本発明における遊技機の実施例の１つを示す概略正面図である。
【図２】本発明における遊技機の実施例の１つにつき、前扉を開いた状態を模式的に示す概略斜視模式図である。
【図３】本発明における遊技機の実施例の１つにつき、前扉及びリールユニットを開いた状態を模式的に示す概略斜視模式図である。
【図４】本体キャビネットの構成を表す正面図である。
【図５】リールユニットの背面側の概略構成を示す分解斜視図である。
【図６】リールユニットの左側面の概略を模式的に示す左側面図である。
【図７】不正防止手段の構成を表した部分拡大図である。
【図８】本体キャビネットにおいて、リールユニット支持部及びベース部材が設けられている部分を表した部分拡大図である。
【図９】図９Ａは、固定部材の外観を表す平面図、図９Ｂは、固定部材の背面側の構成を表す背面図である。
【図１０】図１０Ａは、カシメ部材を前面側から表した斜視図、図１０Ｂは、カシメ部材を背面側から表した斜視図、図１０Ｃは、カシメ部材を底面から表した底面図である。
【図１１】リールユニットの背面側の構成を示す概略斜視図である。
【図１２】取付部材に対するカバー体の取り付けを説明するための概略分解斜視図である。
【図１３】リールユニット支持部にリールユニット支持受け部を係合させる直前の状態を表す説明図である。
【図１４】リールユニット支持部とリールユニット支持受け部とが係合した状態を表す説明図である。
【図１５】リールユニット支持部に固定部材を取り付けた状態を表す説明図である。
【図１６】固定部材にカシメ部材を取り付ける直前の状態を表す説明図である。
【図１７】図１７Ａから図１７Ｃは、いずれも固定部材にカシメ部材を取り付ける作用を表す説明図であり、図１７Ａは、カシメ部材が固定部材に固定されてカシメ構造を形成する前の状態を表す図、図１７Ｂは、カシメ部材が固定部材に取り付けられている状態を表す図、図１７Ｃは、カシメ部材が固定部材に固定されてカシメ構造を形成した状態を表す図である。
【図１８】リールユニットにおいてカバー体と、接続構造を構成する接続部材との位置関係を示す概略背面図である。
【図１９】リールユニットにおいてカバー体と制御基板の位置関係を示す概略平面図である。
【図２０】カバー体の嵌着部に形成された係止爪を取付部材の止着孔にかしめる際における、係止爪と止着孔の位置関係を説明する説明図である。
【図２１】カバー体の突片を副制御基板の差込口に差し込む場合における、突片と差込口の位置関係を表した説明図である。
【図２２】連結手段で支持枠と取付部材とを連結した状態を示す説明図であって図１８の領域Ｘの部分に対応する部分を抜き出して斜視図として模式的に示す図である。
【図２３】図２３Ａは、カバー体をスロットマシンの左上後側から見た場合のカバー体の概略構成を示す概略斜視図である。図２３Ｂは、カバー体をスロットマシンの右上前側から見た場合のカバー体の概略構成を示す概略斜視図である。
【図２４】図２４Ａ、図２４Ｂは、いずれも主制御基板を取付部材の突出枠部にスライド固定する状態を模式的に説明するための説明図であるとともに図１２の領域Ｈの部分を拡大して模式的に示す図であり、図２４Ａは、主制御基板の係止鉤片を突出枠部の係止鉤片受け孔に嵌め込む状態を説明する図であり、図２４Ｂは、主制御基板の係止鉤片を突出枠部の係止鉤片受け孔内でスライドさせる状態を説明する図である。
【発明を実施するための形態】
【００１７】
本発明の実施の形態について、図面を用いて具体的に説明する。遊技機がスロットマシンである場合を例として、本発明に係る遊技機の一例を説明する。なお、本明細書において、前側、後側は、遊技機を正面から見た場合（図１参照）のそれぞれ正面側（前面側）、裏面側（後面側）を示す。また、上下左右とは、遊技機を正面に見てそれぞれ上側、下側、左側及び右側を示すものとする。また、本明細書においては、後側のことを裏側、背面側と言うこともあり、前後方向のことを奥行方向と言うこともある。また、本明細書において、スロットマシンを構成する後述の取付部材やカバー体などといった各部材についての前後左右上下は、特に明細書文中や図面中で断らない限りにおいて、スロットマシンに取り付けられた状態を基準にして特定されるものとする。
【００１８】
［スロットマシン１］
図１から図３に示すように、スロットマシン１は、本体キャビネット２と前扉３とを備えている。
【００１９】
［本体キャビネット２］
本体キャビネット２は、正面側が開口するように形成された箱状の部材である。本体キャビネット２の内部には、複数種類の図柄（図示せず）を周囲に配置した複数のリールをなす第１リール４ａと第２リール４ｂと第３リール４ｃ、及び、液晶表示装置５を有するリールユニット６、並びにメダルを払い出すホッパー装置７等のようなスロットマシン１での遊技に使用される各種装置が、収納配置される。
【００２０】
本体キャビネット２は、左側の端縁で前扉３及びリールユニット６を回動自在に支持している。図４に示すように、本体キャビネット２の正面左側端縁には、上下方向に３つの支持部８〜１０が設けられている。これら３つの支持部８〜１０は、前扉３とリールユニット６を回動自在に支持するためのものであり、共通支持部８、前扉支持部９及びリールユニット支持部１０とからなる。共通支持部８は、本体キャビネット２の上部に設けられ、前扉３及びリールユニット６の左側端縁を回動自在に片持支持する。前扉支持部９は、本体キャビネット２の下部に設けられ、前扉３を回動自在に片持支持する。また、リールユニット支持部１０は、共通支持部８と前扉支持部９の間に設けられ、リールユニット６を回動自在に片持支持する。これら共通支持部８、前扉支持部９及びリールユニット支持部１０は、本体キャビネット２に取付固定されている基部８ａ〜１０ａと、基部８ａ〜１０ａから上方に向けて突出し、先端がテーパ状に形成された支持ピン８ｂ〜１０ｂとから構成されている。これら共通支持部８、前扉支持部９及びリールユニット支持部１０の各支持ピン８ｂ〜１０ｂは、基部８ａ〜１０ａの上端面から先端までの突出高さが異なっており、共通支持部８の支持ピン８ｂの突出高さをｈ１、リールユニット支持部１０の支持ピン１０ｂの突出高さをｈ２、前扉支持部９の支持ピン９ｂの突出高さをｈ３とした場合の各突出高さの関係は、ｈ２＞ｈ１＞ｈ３となっている。なお、基部と支持ピンは一体で形成してもよいし、別体として形成した基部と支持ピンを組み立てて用いてもよい。
【００２１】
本体キャビネット２には、リールユニット６を片持支持する側である左側端縁と左右反対側の右側端縁の開口縁（正面側の端縁）に、リールユニット６の閉状態を維持するための係止部１１が形成されている。この係止部１１はピン状に形成されている。リールユニット６には、本体キャビネット２と互いに向かい合う位置で係止部１１と係合する鉤状の係合部１２が形成されており（図３参照）、リールユニット６が本体キャビネット２内に収納されて閉状態になった時に、鉤状の係合部１２がピン状の係止部１１に引っかかって係合するようになっている。係合部１２と係止部１１との係合状態は、例えば係止部１１を上下方向に移動させることによって解除することができるようになっている。
【００２２】
［前扉３］
前扉３は、本体キャビネット２の前面側に、該本体キャビネット２の開口を塞ぐように設けられている。図１に示すように、前扉３は、メダルの貯留又は遊技開始時にメダルを投入する投入口２１、貯留されているメダルを１枚掛けられる１ベットボタン２２、貯留されているメダルを３枚掛けられるＭＡＸベットボタン２３、第１〜第３リール４ａ〜４ｃを回転駆動させて遊技を開始する際に操作するスタートレバー２４、第１〜第３リール４ａ〜４ｃの回転を停止させる際に操作する第１〜第３ストップボタン２５ａ〜２５ｃ、メダルの払い出しを行う排出口２６、メダルを受けるための受け皿２７を備えている。
【００２３】
また、前扉３は、表示窓部２８を備えている。表示窓部２８は、リールユニット６の第１〜第３リール４ａ〜４ｃの外周に付された複数の各種図柄（図示せず）が縦方向に３つずつ、合計９個の図柄を視認することが出来るほかに、液晶表示装置５に表示される各種画像や動画、第１〜第３リール４ａ〜４ｃの周囲に付されている装飾部材３７に描かれたキャラクター図柄などのような各種意匠絵柄が視認できるようにするためのもので、前扉３の略上半分に設けられた開口にガラス等の透明な部材を嵌め込んで形成されている。前扉を閉状態にした場合には、表示窓部２８の奥側にリールユニット６が位置しており、遊技者は、表示窓部２８を介して、第１〜第３リール４ａ〜４ｃの図柄や、液晶表示装置５に表示される各種画像、装飾部材３７に描かれた各種意匠絵柄等を視認することができる。なお、図１においては、説明の便宜上、表示窓部２８を介して視認可能な第１〜第３リール４ａ〜４ｃ等の記載は省略した。また、本実施の形態のスロットマシン１では、上記した表示窓部２８として前扉３の略上半分に表示窓部２８が形成されているが、少なくとも上記した図柄や画像などを遊技者が視認できればよく、表示窓部２８が前扉３の略上半分に形成されていなくてもよいし、上記した大きさに限定されるものでもない。
【００２４】
図２に示すように、前扉３は、本体キャビネット２に対して左側の一端縁の裏面側に第１の支持受け部が設けられており、本体キャビネット２に回動自在に支持されるようになっている。第１の支持受け部は、前扉３の上部に形成された前扉共通支持受け部３２と、前扉３の下部に形成された前扉支持受け部３３とからなる。前扉共通支持受け部３２は、共通支持部８の支持ピン８ｂ（図４参照）が挿通可能な大きさの長孔が貫通形成されており、前扉３を本体キャビネット２に取り付ける時に共通支持部８と係合する位置に取り付けられている。前扉支持受け部３３は、前扉支持部９の支持ピン９ｂが挿通可能な大きさの長孔が貫通形成されており、前扉３を本体キャビネット２に取り付ける時に前扉支持部９と係合する位置に取り付けられている。前扉３は、前扉共通支持受け部３２が共通支持部８と係合し、前扉支持受け部３３が前扉支持部９と係合することで、本体キャビネット２に対して回動可能に支持されている。
【００２５】
［リールユニット６］
図２、図３、図５及び図６に示すように、リールユニット６は、第１〜第３リール４ａ〜４ｃ、画像表示手段としての液晶表示装置５、制御基板３５、取付部材３６及び装飾部材３７が支持枠３８に組み付けられて、ユニット化して構成されている。第１〜第３リール４ａ〜４ｃは、図示しない複数の図柄を周囲に配置したもので、ドラム状のリールケース３９内で回転可能に軸支されており、スタートレバー２４が操作されると一斉に回転を開始し、第１〜第３ストップボタン２５ａ〜２５ｃが押圧操作されると、押圧操作されたストップボタンに対応したものが停止するようになっている。リールケース３９は、支持枠３８の下部裏面側に取り付けられている。このリールケース３９は、前扉３を閉状態にした時の表示窓部２８と対向する正面側が開口しており、リールケース３９内の第１〜第３リール４ａ〜４ｃの図柄が表示窓部２８を介して外部から視認できるようになっている。
【００２６】
スロットマシン１は、本体キャビネット２に対して回動自在にリールユニット６を支持された構成を備える。したがって、スロットマシン１は、リールユニット６を本体キャビネット２外へ簡単に引き出すことができるようになっている。そのため、リールユニット６を本体キャビネット２から引き出して点検等を行う場合の作業効率も向上させることが可能になる。
【００２７】
スロットマシン１は、リールユニット６という構造体ユニットを、本体キャビネット２に取り付けている。したがって、スロットマシン１は、リールユニット６を交換するだけで他の機種のスロットマシンに変更することが可能になり、例えば遊技店がスロットマシンの機種変更を行おうとする場合に、本体キャビネット２も含めたスロットマシン全体を取り替えずとも、スロットマシンにおけるリールユニットの取替えで機種変更に対応できるようになり、資源の浪費抑制という環境面への配慮がなされたスロットマシン１を提供することが可能になる。また、リールユニットの取替えは、スロットマシン全体を取り替える場合に比べて容易であることから、取替えに必要なコストを低減することが可能になり、その作業効率を向上させることが可能になる。
【００２８】
（液晶表示装置５）
液晶表示装置５は、遊技の進行に応じて種々の画像や動画等を表示するもので、第１〜第３リール４ａ〜４ｃの上方に配置されている。液晶表示装置５で表示する画像等としては、特に限定されないが、例えば大当り又は大当り以外の他の役に当選又は入賞した時に、そのことを遊技者に報知するための画像や、遊技者の興趣を向上させるようなキャラクター動画等が挙げられる。なお、ここでは画像表示手段が液晶表示装置５である場合について説明したが、これに限定されず、画像表示手段は、液晶表示装置５以外のもの、例えば有機ＥＬ（Ｅｌｅｃｔｒｏ−Ｌｕｍｉｎｅｓｃｅｎｃｅ）等を用いた表示装置等であってもよい。
【００２９】
（制御基板３５）
制御基板３５は、主制御基板４０及び副制御基板４１を有する。
【００３０】
（主制御基板４０及び副制御基板４１）
主制御基板４０は、主制御基板本体４０ａを基板ケース４２に収容されて構成されている。主制御基板本体４０ａは、第１〜第３リール４ａ〜４ｃの動作制御のような、主としてスロットマシン１の遊技に関する各種制御を行う機能に対応して定められる各種電気電子部品類を実装しており、また、その機能に対応して設定される制御回路を有して各種電気電子部品類を適宜電気的に制御可能に構成されている。
【００３１】
副制御基板４１は、副制御基板本体４１ａを基板ケース４３に収容されて構成されている。副制御基板本体４１ａは、遊技の進行に応じた画像や動画等の選択、液晶表示装置５の表示態様やスロットマシン１の各所に配置されているＬＥＤ等のような発光部材の発光態様に関する、主にスロットマシン１における遊技の演出に関する各種制御を行う機能に対応して定められる各種電気部品を実装しており、また、その機能に対応して設定される制御回路を有して各種電気部品を適宜電気的に制御可能に構成されている。
【００３２】
基板ケース４２や基板ケース４３は、例えばプラスチック等の樹脂材料で形成されており、それぞれ、内部に主制御基板本体４０ａ、副制御基板本体４１ａを収容可能な大きさに形成されている。
【００３３】
スロットマシン１においては、上記したように主制御基板４０及び副制御基板４１が、それぞれ基板ケース４２，４３内に主制御基板本体４０ａ、副制御基板本体４１ａを収容された構成とされていることで、外部から不正に主制御基板本体４０ａ、副制御基板本体４１ａにアクセスすることや、主制御基板本体４０ａ、副制御基板本体４１ａを本来のものとは異なるものに不正に取り替えることが規制されている。
【００３４】
（接続構造１５０）
主制御基板４０と副制御基板４１は、次のように、互いに電気的に接続されて接続構造１５０を形成している。まず、主制御基板本体４０ａには、図１２等に示すように、主制御基板本体４０ａに形成された制御回路に繋がる端子をなすコネクター１５３ａ（１５３）が設けられており、副制御基板本体４１ａには、副制御基板本体４１ａに形成された制御回路の端子をなすコネクター１５３ｂ（１５３）が設けられている。また、基板ケース４２及び基板ケース４３のそれぞれには、コネクター出口孔１５４（１５４ａ，１５４ｂ）が設けられている。
【００３５】
主制御基板４０では、基板ケース４２のコネクター出口孔１５４ａからその外側に向かって、コネクター１５３ａが臨んでおり、副制御基板４１では、基板ケース４３のコネクター出口孔１５４ｂからその外側に向かって、コネクター１５３ｂが臨む。そして、スロットマシン１では、主制御基板本体４０ａと副制御基板本体４１ａそれぞれのコネクター１５３ａ，１５３ｂが接続部材１５５で互いに電気的に接続されて、接続構造１５０が形成されている。ここに、接続部材１５５は、図１２に示すように、それぞれのコネクター１５３ａ，１５３ｂに対応する形状に形成されたコネクター受け１５１，１５１と、コネクター受け１５１，１５１間を繋ぐ配線１５２とを備えて構成される構造体である。このように、スロットマシン１は、副制御基板４１と主制御基板４０との間で電気信号のやり取りを行えるように、副制御基板４１と主制御基板４０を互いに電気的に接続されて構成される。なお、この場合、接続部材１５５の少なくとも一部は、基板ケース４２及び基板ケース４３の外部に存在することとなる。
【００３６】
主制御基板４０や副制御基板４１の少なくとも一方は、液晶表示装置５にも電気的に接続されており、遊技の演出内容に応じた液晶画像や動画等の表示の電気的制御が、適宜実施される。
【００３７】
（囲い構造体１０３）
副制御基板４１のコネクター出口孔１５４ｂには、その周囲に、囲い構造体１０３が突設形成されていてもよい。例えば、囲い構造体１０３は、後述するカバー体９１を取付部材３６に取り付けた状態で接続構造被覆部９１ｂの外面を立片１０３ａ、１０３ｂ、１０３ｃで上側、左側、右側の３方から囲んで構成される。スロットマシン１においては、囲い構造体１０３が設けられていることで、副制御基板４１のコネクター１５３ｂに向けた外部からの不正なアクセスがカバー体９１と囲い構造体１０３とで２重にブロックされる。
【００３８】
このような主制御基板４０及び副制御基板４１は、いずれもリールユニット６に配置される取付部材３６に取り付けられる。
【００３９】
（取付部材３６）
取付部材３６は、プラスチック等の各種材料で平面視略コ字形に形成されている壁部１４６を備える。壁部１４６は、その外周輪郭に沿って延びる枠部１４７を備えており、また、スロットマシン１の背面側にある背面壁部１４６ａと、背面壁部１４６ａの左右両端から前方に向かう側面壁部を備えて構成される。側面壁部は、スロットマシン１の前方から見て右側、左側に位置するそれぞれ右側面壁部１４６ｂと、左側面壁部１４６ｃとから構成される。
【００４０】
枠部１４７については、壁部１４６から背面壁部１４６ａの上下端のそれぞれに沿って、後方に向かって突出した突出枠部１４８と、突出枠部１４８の長手方向端部から左右の側面壁部１４６ｂ、１４６ｃの外周輪郭に沿って延びるとともに外方向に突出した側方枠部１４９とを備えて構成される。枠部１４７は、取付部材３６のねじれ強度を高める点では好ましい構成である。
【００４１】
取付部材３６は、壁部１４６の下端側で背面壁部１４６ａと左右の側面壁部１４６ｂ、１４６ｃとを繋げる底面部（図示しない）を有していてもよい。スロットマシン１が底面部を有することで取付部材３６の構造を全体に強固にすることができるとともに、底面部にて取付部材３６の下方側から副制御基板４１に向けられる不正なアクセスを抑制することができる。
【００４２】
取付部材３６は、支持枠３８の裏面側であり、第１〜第３リール４ａ〜４ｃの上方であるような位置で、かつ背面壁部１４６ａが液晶表示装置５の裏面側と対向する位置に位置決めされ、適宜選択された固定方法を用いて取り付けられる。固定方法は、特に限定されず、例えば、ネジ止め等の各種方法を採用されてよい。
【００４３】
（取付部材３６に対する主制御基板４０の取り付け）
また、主制御基板４０は、主制御基板本体４０ａを取り付けた基板ケース４２を、取付部材３６の背面側に取り付けられて固定される。基板ケース４２を取付部材３６に取り付ける方法は、基板ケース４２の所定部分を取付部材３６の所定部分に係止する方法など、特に限定されない。
【００４４】
例えば、基板ケース４２には、図１２に示すように、上面側及び下面側所定位置に係止鉤片１０４が設けられており、また、取付部材３６は、上下の突出枠部１４８それぞれの所定位置に係止鉤片１０４を止めつける係止鉤片受け孔１０５が開口形成されている。突出枠部１４８は、図２４Ａ、図２４Ｂに示すように、係止鉤片受け孔１０５で突出枠部１４８内部の空間に繋がって構成される。突出枠部１４８の内部では、長手方向に沿って切り欠き部１０６が形成されており、係止鉤片１０４をスライド可能に構成されている。
【００４５】
主制御基板４０は、例えば次のように取付部材３６の背面側所定位置に固定される。すなわち、図２４Ａに示すように、係止鉤片１０４を、取付部材３６の背面の係止鉤片受け孔１０５の位置にあわせて主制御基板４０を矢印Ｆ方向に移動させてその係止鉤片受け孔１０５に嵌め込み、さらに、図２４Ｂに示すように、取付部材３６の突出枠部１４８の長手方向に沿って左右方向へ（矢印Ｇ方向に）スライドさせることで係止鉤片１０４を切り欠き部１０６の位置に移動させる。こうして、主制御基板４０は取付部材３６の背面側所定位置に固定される。
【００４６】
（取付部材３６に対する副制御基板４１の取り付け）
副制御基板４１は、副制御基板本体４１ａを取り付けた基板ケース４３を、取付部材３６の背面壁部１４６ａよりも前方側所定位置に取り付けて固定される。基板ケース４３を取付部材３６に取り付ける方法は、特に限定されない。なお、この副制御基板４１を取付部材３６に対して取り付ける方向に沿った方向が、副制御基板４１の着脱方向となる。
【００４７】
例えば、図５、図６等に示すように、副制御基板４１には、基板ケース４３の左右側端に掛止片１０７が突設されており、掛止片１０７には上下方向に貫通した通孔１０８が設けられている。また、取付部材３６には、左右の側面壁部１４６ｂ、１４６ｃの上端面側にある所定の位置、図５、図６では具体的に側方枠部１４９の上端面側所定位置に、凹部４５が形成されており、それぞれの凹部４５に通孔１０９を設けられている。
【００４８】
副制御基板４１は、掛止片１０７を凹部４５に掛けるとともに掛止片１０７の通孔１０８を凹部４５の通孔１０９に向合うように位置あわせし、ラッチ固定具４４を両方の通孔１０８、１０９に通じることで、取付部材３６に固定される。ラッチ固定具４４としては、図６に示すようなリベット等を適宜用いることができる。この凹部４５に対して掛止片１０７を上側から掛けた際、基板ケース４３は、取付部材３６に対して、スロットマシン１の平面視上、左右の側面壁部１４６ｂ、１４６ｃの間に位置し且つ背面壁部１４６ａよりも前方に位置することとなる。すなわち、副制御基板４１は、基板ケース４３を取付部材３６の上方側から上下方向に沿って下方に動かされて取付部材３６の内側へと移動して、取付部材３６の背面壁部１４６ａに対して向かい合わせに配置されることとなり、背面壁部１４６ａの面のうちの主制御基板４０の取付面とは逆面側にて、その逆面に対して向かい合わせに配置されることとなる。さらに副制御基板４１は、取付部材３６の背面壁部１４６ａに対して間隔をあけて配置された状態となる。なお、この場合、スロットマシン１において、副制御基板４１の着脱方向は上下方向となる。
【００４９】
リベットなどのラッチ固定具４４は、副制御基板４１に対して着脱自在であってもよいし、副制御基板４１に固定されていてもよい。また、ラッチ固定具４４は、副制御基板４１と別体に形成されたものであってよいし、副制御基板４１と一体をなして形成されたものであってもよい。
【００５０】
（主制御基板４０と副制御基板４１と液晶表示装置５についての相互の位置関係）
まず、液晶表示装置５は、支持枠３８の前端側位置よりもやや取付部材３６の背面壁部１４６ａ側に寄った位置に配置されており、図６等に示すように、主制御基板４０及び副制御基板４１が取付部材３６に取り付けられるとともにその取付部材３６が支持枠３８に取り付けられた状態で、液晶表示装置５は、おおよそ支持枠３８と取付部材３６で囲まれた空間に収容された状態になる。
【００５１】
液晶表示装置５及び、取付部材３６に取り付けられた副制御基板４１及び主制御基板４０は、第１〜第３リール４ａ〜４ｃの上方に配置される。そして、液晶表示装置５、副制御基板４１及び主制御基板４０は、リールユニット６の正面側から背面側に向けて、液晶表示装置５、副制御基板４１及び主制御基板４０の順で配置される。また、このように配置された場合に、図６に示すように、副制御基板４１の上端の高さ位置は液晶表示装置５の上端の高さ位置よりもｈ５だけ低い位置に配置され、主制御基板４０の上端の高さ位置は副制御基板４１の上端の高さ位置よりもｈ６だけ低い位置に配置される。
【００５２】
スロットマシン１において、液晶表示装置５の上端の位置よりも副制御基板４１の上端の位置が低く、副制御基板４１の上端の位置よりも主制御基板４０の上端の位置が低くなるように配置されていると、液晶表示装置５の後側であって基板ケース４３の上方には空間Ｓ１が形成され、基板ケース４３の後側であって基板ケース４２の上方には空間Ｓ２が形成されるようになる。
【００５３】
スロットマシン１では、制御基板をなす主制御基板４０と副制御基板４１のうちの少なくとも一方と液晶表示装置５とが配線で接続されているが（図示せず）、スロットマシン１に空間Ｓ１及びＳ２が存在していると、そうした配線を収納する空間が確保できることとなり、リールユニット６を本体キャビネット２に対して閉じる際に、その配線が本体キャビネット２とリールユニット６との間に挟まって損傷する虞や、断線してしまう虞が効果的に抑制される。なお、このことは、液晶表示装置５、主制御基板４０又は副制御基板４１と、これら以外の部材や装置等とを接続する配線が空間Ｓ１及びＳ２に収納されることを禁止するものではない。
【００５４】
また、図６等に示すスロットマシン１においては、副制御基板４１は、その上端を、取付部材３６の上側の突出枠部１４８上面にあたる取付部材３６の上端面よりも上方側に位置させるように配置されており、主制御基板４０は、その上端を、上側の突出枠部１４８上面よりも下方側に位置させるように配置されている。
【００５５】
（装飾部材３７）
装飾部材３７は、スロットマシン１に適宜設置される部材であり、遊技者の興趣を向上させるような図柄や絵柄等のような所定の意匠を施された部材である。装飾部材３７は、支持枠３８の正面側に取り付けられる。図２に示すように、装飾部材３７には開口が形成されており、その開口の大きさについては、装飾部材３７をスロットマシン１に取り付けた状態で第１リール４ａ、第２リール４ｂ、第３リール４ｃの各種図柄を前面側から視認することができる程度の大きさが確保されている。図２の例に示す装飾部材３７の開口は、第１リール４ａ、及び第２リール４ｂ、及び第３リール４ｃの図柄が３個ずつ視認できる大きさに形成されている。また、装飾部材３７は、第１リール４ａの左側と第３リール４ｃの右側のそれぞれに設けられているＬＥＤ等の発光部材３７ａを前面側から覆うように配置されている。
【００５６】
（支持枠３８）
支持枠３８は、例えば金属で形成された枠状の部材であり、図５及び図６に示すように、第１〜第３リール４ａ〜４ｃ、液晶表示装置５、取付部材３６及び装飾部材３７が取り付けられるように構成されている。
【００５７】
支持枠３８には、本体キャビネット２に回動自在に支持される左側縁に第二の支持受け部４６が設けられている。第二の支持受け部４６は、リールユニット６の上部に形成されたリールユニット共通支持受け部４７と、リールユニット６の下部に形成されたリールユニット支持受け部４８とから構成されている。リールユニット共通支持受け部４７は、本体キャビネット２に設けられている共通支持部８の支持ピン８ｂが挿通可能な大きさの長孔が貫通形成されており、本体キャビネット２に取り付ける時に共通支持部８と係合する位置に取り付けられている。また、リールユニット支持受け部４８は、本体キャビネット２に設けられているリールユニット支持部１０の支持ピン１０ｂが挿通可能な大きさの長孔が貫通形成されており、本体キャビネット２に取り付ける時にリールユニット支持部１０と係合する位置に取り付けられている。
【００５８】
リールユニット共通支持受け部４７が共通支持部８と係合し、リールユニット支持受け部４８がリールユニット支持部１０と係合することで、本体キャビネット２の正面側に、本体キャビネット２の左端縁側を回動軸としてリールユニット６が回動自在に支持されることとなる。
【００５９】
（カバー体９１）
リールユニット６には、図１１、図１２、図１８、図１９等に示すように、カバー体９１が、取付部材３６に固定されている。カバー体９１は、取付部材３６に固定された状態で副制御基板４１の少なくとも一部を覆う副制御基板被覆部９１ａ及び接続構造１５０の全体を覆う接続構造被覆部９１ｂを備えて、所定形状に形成されている。接続構造被覆部９１ｂは、図２３Ａ、図２３Ｂに示すように、平面視略Ｌ字状に形成されており、前後方向に延びて部分９１ｂ１と、部分９１ｂ１に対してその後方側の下端で連接するとともに左右方向に延びて部分９１ｂ２とを有している。スロットマシン１において、副制御基板被覆部９１ａは、図２３Ａにおいて斜線領域で示す部分に対応しており、接続構造被覆部９１ｂの部分９１ｂ１に連なり、部分９１ｂ１を基端として左右方向に延びて形成されている。
【００６０】
（カバー体９１による接続構造１５０の被覆）
カバー体９１を取付部材３６に固定した状態で接続構造被覆部９１ｂ内には、空間部ＳＰが形成される。このとき空間部ＳＰは、主制御基板４０のコネクター１５３のうち基板ケース４２の外側にある部分と副制御基板４１のコネクター１５３のうち基板ケース４３の外側にある部分とを収容するとともに両コネクター１５３，１５３を互いに繋ぐ接続部材１５５も収容するような大きさと形状に形成される。そして、カバー体９１を取付部材３６に固定した状態で、接続構造被覆部９１ｂは、部分９１ｂ１にて副制御基板４１側のコネクター１５３ｂを覆い、部分９１ｂ２にて主制御基板４０側のコネクター１５３ａを覆っている。このとき、接続構造被覆部９１ｂは、少なくとも接続構造１５０の外側を上側、左側、右側の３方から囲み、またその後方側を覆う。すなわち、スロットマシン１においては、コネクター１５３と接続部材１５５で構成される接続構造１５０を接続構造被覆部９１ｂ内の空間部ＳＰ内に収容した状態が形成され、カバー体９１で接続構造１５０の全体を覆う状態が形成されていることとなる。
【００６１】
（カバー体９１による副制御基板４１の被覆）
カバー体９１は、取付部材３６に固定された状態で副制御基板４１の少なくとも一部を被覆するように副制御基板被覆部９１ａを備えている。カバー体９１は、副制御基板の着脱方向を横切る方向に沿って該副制御基板の少なくとも一部を覆っている。このとき、カバー体９１において、副制御基板被覆部９１ａは、副制御基板４１の着脱方向を横切る方向に沿った広がりを有して形成される。したがって、図３等に示すように副制御基板４１が上下方向に着脱される場合においては、カバー体９１は、副制御基板４１の後方側からその副制御基板４１の上面の少なくとも一部を覆うように副制御基板被覆部９１ａを形成していることが好ましい。この場合、副制御基板４１を取り付けた取付部材３６に対して取付部材３６の背面側所定領域にカバー体９１を被せて取り付けられる場合に、カバー体９１を取付部材３６に対してしっかりと固定させつつカバー体９１が副制御基板４１の着脱方向を横切る方向に沿ってその副制御基板４１の少なくとも一部を覆うこととなり、副制御基板４１の着脱方向への移動、特に副制御基板４１を取り外す方向への副制御基板４１の移動が規制されるようになって、副制御基板４１の不正な取り外しの抑制を効果的に実現することができる。
【００６２】
なお、副制御基板被覆部９１ａは、副制御基板４１を被覆する状態を形成可能に構成されていればよく、したがって、副制御基板４１のみを被覆するにとどまらず、図１９等に示すように取付部材３６等の少なくとも一部をも被覆するように構成されていてもよい。
【００６３】
（取付部材３６に対するカバー体９１の固定と固定位置）
カバー体９１は、取付部材３６に対して嵌め殺しにされて固定されている。取付部材３６に対するカバー体９１の固定が嵌め殺しとされる際に、その固定位置、すなわち嵌め殺し構造を形成する位置は特に限定されるものではない。例えば、図１１，図１２等に示す例では、カバー体９１は、取付部材３６の背面側（主制御基板４０の取付面側）で嵌め殺しにされて固定されており、すなわち嵌め殺し構造の形成位置が取付部材３６の背面側の位置となっている。スロットマシン１が、カバー体９１を取付部材３６の背面側で嵌め殺しにて固定する構成を有する場合、取付部材３６の背面側からカバー体９１を被せてカバー体９１と取付部材３６とでカシメ構造を容易に形成するという簡単な工程を実施することで嵌め殺し状態を容易に実現することができる。
【００６４】
（嵌め殺し状態の形成）
図１１，図１２等のスロットマシン１の例では、次に示すようにカバー体９１の嵌着部９２と、取付部材３６の突出枠部１４８の背面側所定部分に形成された止着孔９３とでカシメ構造が形成されることで、カバー体９１が取付部材３６に嵌め殺しにされて固定される。
【００６５】
カバー体９１では、図２３Ａ、図２３Ｂに示すように、副制御基板被覆部９１ａの後方端と接続構造被覆部９１ｂの部分９１ｂ２とが段差部９４を介して互いに連なっており、段差部９４には所定位置に開口９５が形成されている。接続構造被覆部９１ｂの部分９１ｂ２には、開口９５に対応した位置に凹み部１０２が形成されている。開口９５の大きさは、後述の嵌着部９２を形成可能であれば特に限定されないが、図２３Ａ、図２３Ｂのカバー体９１の例では、開口９５は、段差部９４から副制御基板被覆部９１ａにやや入り込んだ部分にまで形成されている。
【００６６】
段差部９４は、カバー体９１を取付部材３６に取り付けた状態で、取付部材３６の上側の突出枠部１４８の背面に向かい合い、さらに段差部９４の開口９５は、突出枠部１４８の背面に形成される止着孔９３に向かい合うように形成される。
【００６７】
カバー体９１には、取付部材３６の所定位置に嵌め着けられてカシメ構造を形成する嵌着部９２が接続構造被覆部９１ｂにおける部分９１ｂ２の上面に設けられている。嵌着部９２は、接続構造被覆部９１ｂ上面内の所定位置に突設される基部９７を備えている。基部９７は、略Ｌ字状に突設形成され、基部９７の突端位置に鍔部９８が形成されている。嵌着部９２は、鍔部９８の位置を基端としつつ段差部９４の開口９５を通って前方に伸びる伸出部１００を有する係止爪９９を備える。係止爪９９には、伸出部１００の先端で繋がりその先端から鍔部９８側に向かって拡がる傾斜部１０１が備えられている。嵌着部９２においては、係止爪９９が、伸出部１００と傾斜部１０１とで弾性変形可能に構成されている。
【００６８】
図２０に示すように、取付部材３６には、上下の突出枠部１４８，１４８のうち上側の突出枠部１４８の背面側所定位置に受け部１１０が形成されている。受け部１１０は、突出枠部１４８の背面位置から後方に向かって突出させて形成されており、鍔部９８の形状に応じた形状に形成された陥没部１１１と、陥没部１１１の内側の所定部分に係止爪９９に対応した所定形状に形成された止着孔９３とを備え、止着孔９３からさらに奥方に係止爪９９を収容可能な大きさを確保された空間１１２を備えている。
【００６９】
（カシメ構造の形成）
さて、カバー体９１の嵌着部９２と取付部材３６の止着孔９３によるカシメ構造の形成は、図２０に示すように、嵌着部９２を係止爪９９の先端を取付部材３６の受け部１１０に向けるように位置決めして、嵌着部９２を受け部１１０の止着孔９３にはめ込むことで実現される。
【００７０】
嵌着部９２は、止着孔９３に差し込まれる前の状態では、傾斜部１０１を、所定角度を持って広がった状態とされて構成されている。嵌着部９２が、係止爪９９を、取付部材３６に形成された止着孔９３に対して挿通させようとして受け部１１０内の空間１１２に向けて押出そうとすると、その途中で傾斜部１０１の外面が受け部１１０の止着孔９３に接触する。この後、さらに係止爪９９を押出して移動させようとすると、係止爪９９は止着孔９３から傾斜部１０１にすぼまる方向への応力を負荷されることとなり、弾性変形する。
【００７１】
嵌着部９２の先端を、さらに受け部１１０内の空間に向けて押出し移動させると、やがて傾斜部１０１全体が止着孔９３を貫通して受け部１１０内部の空間１１２まで到達する。このとき、傾斜部１０１に対するすぼまる方向への応力負荷が解除され、傾斜部１０１の復元力の作用で元の形状に拡幅復元される。このとき、係止爪９９における傾斜部１０１、１０１の広がり幅が止着孔９３の幅寸法を超える。すると、嵌着部９２の押出し挿入方向とは逆方向に嵌着部９２を引き抜こうとしても係止爪９９の傾斜部１０１が止着孔９３の周囲の構造体に引っかかり、嵌着部９２の引き抜き方向への移動が規制される。こうして取付部材３６の止着孔９３に対してカバー体９１の嵌着部９２を差し込まれて係止爪９９の部分を貫通させることでカシメ構造が形成される。そして、このようなカシメ構造が形成されることで上述したようにカバー体９１が取付部材３６に対して嵌め殺し状態とされる。このとき、鍔部９８は、陥没部１１１内に位置している。ここに、鍔部９８は、陥没部１１１の輪郭形状に対しておおよそ整合している形状を呈していることが、陥没部１１１に対する鍔部９８のぐらつきを効果的に規制できて好ましい。図２０では、陥没部１１１は、円形状の輪郭形状を呈し、鍔部９８は、円盤の上下を切り欠いた形状に形成され、鍔部９８の円弧状の部分が陥没部１１１の輪郭に整合している。
【００７２】
上記したカシメ構造が形成されたとき、受け部１１０は、受け部１１０のうち突出枠部１４８の背面位置から突出した部分をカバー体９１の凹み部１０２に対して向かい合わせとされている。このとき、カバー体９１は、副制御基板被覆部９１ａの一部を、取付部材３６の突出枠部１４８の上側に位置させ、凹み部１０２を、受け部１１０のうち突出枠部１４８から突出した部分の下側に位置させて、突出枠部１４８に対するカバー体９１の上下動を抑制することとなり、取付部材３６に取り付けられた後におけるカバー体９１のぐらつきが抑制される。
【００７３】
（カシメ構造の形成箇所数）
カバー体９１の嵌着部９２と、取付部材３６の突出枠部１４８の背面側所定部分に形成された止着孔９３とで形成されるカシメ構造の形成箇所数は、特に限定されず、１箇所でも、図１２、図１８、図１９等に示すように２箇所でも、３箇所以上であってもよい。なお、図１２等の例では、取付部材３６の止着孔９３が突出枠部１４８の長手方向に所定間隔をあけて２つ設けられ、止着孔９３に対応した位置にカバー体９１の嵌着部９２が２つ設けられて、カシメ構造が２箇所に形成される。
【００７４】
（把持部１１３）
カバー体９１には、図２３等に示すように、所定の位置に把持部１１３が形成されていてもよい。把持部１１３は、例えば、部分９１ｂ２内の上面側所定部分を隆起させて形成することができる。カバー体９１に把持部１１３が形成されていると、カバー体９１を取り扱う者が把持部１１３を持つことで、より容易にカバー体９１を取付部材３６に取り付けることができる。
【００７５】
（カバー体９１による主制御基板４０の被覆）
カバー体９１は、制御基板３５のうち副制御基板４１のみならず、主制御基板４０の少なくとも一部を覆うように形成されていることがより好ましい。カバー体９１が主制御基板４０を覆うように形成されていると、主制御基板４０の動きを規制することも実現可能となる。この場合、スロットマシン１において、図１９等に示すように、カバー体９１は、上記接続構造被覆部９１ｂのうちの部分９１ｂ２を、その前方端を基点として取付部材３６の前方側から背面側に向かって主制御基板４０の上面の少なくとも一部を覆うように形成して、取付部材３６に主制御基板４０を固定した状態にて主制御基板４０を拘束している。
【００７６】
また、スロットマシン１において、カバー体９１は、図１８等に示すように、主制御基板４０の上面よりも上側所定位置で取付部材３６に固定されてカシメ構造を形成していることが好ましい。この場合、接続構造被覆部９１ｂの大きさを適宜変更してカバー体９１が主制御基板４０の上面側を覆うようにすることがより容易となり、主制御基板４０の上側からの不正なアクセスを規制することがより容易となる。主制御基板４０に対する不正アクセスにより主制御基板４０の不正な取り外しが行われると、主制御基板４０側から接続構造１５０を介して副制御基板４１に対しても不正が行われる虞が高まるところ、主制御基板４０に対する不正アクセスが規制されることで、副制御基板４１に対する不正なアクセスの虞も抑制される。
【００７７】
（カバー体９１による主制御基板４０の拘束）
カバー体９１が、上記したようにその少なくとも一部を主制御基板４０の少なくとも一部を覆うように構成されている場合、カバー体９１は主制御基板４０に対して凹凸係合しているように構成されていることが好ましい。
【００７８】
図１８、図１９等に示すように、スロットマシン１において、主制御基板４０の基板ケース４２は、その上面側の所定部分に凹凸を上下方向に形成してなる上下凹凸部１１４を備えている。そしてカバー体９１は、基板ケースの上下凹凸部１１４に対応する位置に基板ケース４２の上下凹凸部１１４に嵌まり合う形状の凹凸部１１６を形成しており、カバー体９１の凹凸部１１６を基板ケース４２の上下凹凸部１１４に嵌合させることでカバー体９１は主制御基板４０に対して係合されて取付部材３６に固定される。ところで、主制御基板４０は、その基板ケース４２を、図２４Ａ，図２４Ｂにも示すように左右方向にスライドさせて取付部材３６の背面側に固定されており、カバー体９１が取付部材３６に取り付けられた後においては、カバー体９１の凹凸部１１６と基板ケース４２の上下凹凸部１１４とが凹凸係合することで、基板ケース４２を左右方向にスライドさせようとしても上下凹凸部１１４の凸部１１４ａに凹凸部１１６が引っかかるようになり、基板ケース４２の左右方向の動きが拘束される。したがって、スロットマシン１がこのようなカバー体９１を備えることで、主制御基板４０を上下方向の動きのみならず左右方向の動きも効果的に拘束することができることとなり、主制御基板４０の不正な取り外しを、より効果的に抑制することができる。
【００７９】
カバー体９１と主制御基板４０との凹凸係合は、基板ケース４２に上下方向の凹凸構造を形成する場合に限定されない。すなわち、スロットマシン１においては、基板ケース４２に前後方向の凹凸を形成してなる前後凹凸部１１５が備えられるとともに、前後凹凸部１１５に対してカバー体９１が係合して主制御基板４０を拘束していてもよい。具体的に、図１８、図１９に示すように、基板ケース４２には前後凹凸部１１５が主制御基板４０の左右方向端部寄りの所定位置に形成されている。そして、カバー体９１についてみると、接続構造被覆部９１ｂから前後凹凸部１１５の凸部１１５ａに向かって延び出た延出部９６が形成されている。このようなスロットマシン１においては、主制御基板４０を取り外そうとして主制御基板４０を左右方向にスライドさせようとすると前後凹凸部１１５の凸部が延出部９６の延出端に接触することとなり主制御基板４０のスライド移動が規制されて主制御基板４０の動きが拘束される。
【００８０】
（突片１１７）
スロットマシン１においては、カバー体９１の所定位置に、副制御基板４１に向かって突出した突片１１７が備えられていてもよい。この場合、図２１に示すように、副制御基板４１にはその突片１１７を差し込まれる差込口１１８が形成されている。カバー体９１は、接続構造被覆部９１ｂの副制御基板に向かう端部位置に上方に向かって立設された立壁片１１９を形成しており、そして立壁片１１９の上端に副制御基板４１に向かって突出した突片１１７が備えられている。そして、この突片１１７は、副制御基板４１のコネクター１５３の上方側所定位置に形成された差込口１１８に差し込まれる。
【００８１】
このようなスロットマシン１においては、カバー体９１の突片１１７が副制御基板４１の差込口１１８に差し込まれていることで、副制御基板４１の上下方向の動きのみならず左右方向の動きをもより効果的に拘束することができる。
【００８２】
［連結手段１６０］
スロットマシン１では、上述したように、図１２、図１８等に示すように取付部材３６が、リールユニット６の支持枠３８に取り付けられているが、更に、図２２に示すように取付部材３６と支持枠３８とが連結手段１６０で結び着けられていてもよい。連結手段１６０は、取付部材３６をリールユニット６に拘束する手段であり、その取り外しを行う場合には、切断等、通常その連結手段の少なくとも一部の破壊や変形等の変化を伴うように構成されたものである。
【００８３】
たとえば、連結手段１６０は、ロック部１６１とバンド部１６２とを備えて構成される、バンド部１６２は、巻き回し可能に構成されており、その長手方向一端をロック部１６１の所定位置に連結させてその連結端を固定端１６４となしている。ロック部１６１には、バンド部１６２の自由端１６５側を貫通可能に開口した挿通空間部１６３が形成されている。連結手段１６０は、ロック部１６１における挿通空間部１６３の一方の開口から他方の開口に向けて所定方向（貫通方向）にバンド部１６２を貫通させた後においてはその貫通方向とは逆方向へのバンド部１６２の移動が規制されるように構成されている。この移動を規制する構成としては、例えば、挿通空間部１６３に突起を設けるとともにバンド部１６２にギザギザ形状の凹凸を形成して挿通空間部１６３の突起とバンド部１６２の凹凸とを互いにかみ合わせた構成とすることなど、適宜採用可能である。このような連結手段１６０の例としては、公知の結束バンド（例えば、インシュロック（登録商標）タイ）等を挙げることができる。
【００８４】
連結手段１６０を取り付けられる支持枠３８には、支持枠３８の端部上端よりもやや下方位置とその位置から間隔をあけて更にやや下方位置に形成された第１取付通孔１６６と第２取付通孔１６７が形成されている。連結手段１６０を取付られる取付部材３６には、図５、図１１、図１８等に示すように、側方枠部１４９の前方上端側所定位置に取付突片１６９を突設しており、取付突片１６９には、支持枠３８の第２取付通孔１６７の形成位置に対応する位置に取付孔１６８が形成されている。
【００８５】
［連結手段１６０の取り付け］
取付部材３６を支持枠３８の所定位置に位置あわせし、連結手段１６０のバンド部１６２を取付孔１６８と第２取付通孔１６７に通じるとともに第１取付通孔１６６に通じるようにバンド部１６２を巻きまわし、バンド部１６２の自由端１６５側をロック部１６１の挿通空間部１６３に一方の開口側から通じるとともに、他方の開口側からバンド部１６２の自由端１６５側を引き出し、バンド部１６２の所定位置でロック部１６１に係止する。こうして、連結手段１６０が、取付部材３６と支持枠３８とを結びつけるようにリールユニット６に取り付けられる。
【００８６】
［不正着脱防止手段５１］
本実施の形態のスロットマシン１には、本体キャビネット２に支持されているリールユニット６が、本体キャビネット２から不正に取り外されることを防止するための不正着脱防止手段５１が設けられている。
【００８７】
図７に示すように、不正着脱防止手段５１は、本体キャビネット２に取り付けられているベース部材５２と、一端がリールユニット支持部１０に取り付けられ、他端がベース部材と対向する位置に配置される固定部材５３と、ベース部材５２を介して固定部材５３の他端をカシメ固定するカシメ部材５４とから構成されており、リールユニット支持受け部４８は、固定部材５３によって、リールユニット支持部１０の支持ピン１０ｂから外れる方向へ移動するのを阻止され、リールユニット６を本体キャビネット２から容易に着脱できないようにするものである。
【００８８】
図８に示すように、ベース部材５２は、本体キャビネット２の左側端縁の内面側に取り付けられている。ベース部材５２は、金属製の板材を折り曲げ成形して形成されており、上下方向に並ぶように折り曲げ形成されたガイド片５５ａ，５５ｂと、奥側に形成された固定片５６とを有している。ガイド片５５ａ，５５ｂは、固定部材５３がガイド片５５ａとガイド片５５ｂの間に位置するようにガイドし、ガイド片５５ａとガイド片５５ｂの間に位置した固定部材５３が上下方向に移動しないようにするためのものである。このガイド片５５ａ及びガイド片５５ｂの間隔は、固定部材５３の幅寸法と同じか、又は、ガイド片５５ａとガイド片５５ｂの間に位置した固定部材５３に上下方向のガタツキが生じない程度に大きくなるように形成されている。固定片５６は、略中央部に、本体キャビネット２の奥行方向に向けて開口する固定孔５７を形成している。固定孔５７は、カシメ部材５４の後述するカシメ部７０が挿通可能な大きさに形成されている。なお、本実施の形態では、金属製の板材を用いてベース部材５２を形成しているが、カシメ部材５４がベース部材５２を介して固定部材５３にカシメ固定されている時に、過剰な力が加えられても破壊されないような強度を有するものであれば、金属以外のものを用いてベース部材５２が形成されてもよい。また、ベース部材５２は別部材として形成しなくてもよく、例えば、本体キャビネット２の内側に取り付けられる補強用の板材に一体的に形成してもよい。また、これ以外の方法により形成してもよい。
【００８９】
次に、固定部材５３の構成について図９Ａ，図９Ｂに基づいて説明する。なお、固定部材５３の説明においては、図９中の左側を前側、右側を奥側、上側を左側、下側を右側とする。固定部材５３は、一端がリールユニット支持部１０からリールユニット支持受け部４８が外れる方向へ移動するのを阻止する位置にリールユニット支持部１０に取り付けられ、他端がベース部５２と対向する位置に配置されるようになっており、固定部材本体６１と、固定部材本体６１の一端側に形成された挿通部６２と、固定部材本体６１及び挿通部６２の間に形成されたアーム部６３とを有している。
【００９０】
挿通部６２は、本体キャビネット２に設けられているリールユニット支持部１０の支持ピン１０ｂに挿通させるためのもので、支持ピン１０ｂに挿通可能な大きさの挿通孔６７が貫通形成されている。アーム部６３は、固定部材本体６１と挿通部６２との間に形成されている。このアーム部６３は、固定部材本体６１から前側へ延出した後に左側へ延出する略Ｌ字形に形成されており、リールユニット支持部１０及び本体キャビネット２に取付固定する際に、本体キャビネット２の左端側と互いに緩衝しないような構成になっている。このアーム部６３の先端に挿通部６２が形成されている。
【００９１】
固定部材本体６１は、内部空間６４が形成された中空状であり、固定部材５３の他端側としての奥側に形成されている壁部６１ａに内部空間６４と外部とを連通させる切り欠き溝６５が形成されている。切り欠き溝６５は、カシメ部材５４に形成されているカシメ部７０（図１０参照）を受け入れるためのもので、カシメ部材５４のカシメ部７０がすぼまる方向へ弾性変形をしながら挿通可能な幅に形成されている。また、切り欠き溝６５は、挿通部６２を回動中心としてベース部材５２に向けて回動する方向に開口するコ字形に形成されている。固定部材本体６１の前方側に形成されている壁部６１ｂの右側には、略Ｌ字形の突出部６６が形成されている。突出部６６は、固定部材本体６１との間に所定の隙間を開けて固定部材本体６１の右側面と対向するように位置している。この隙間には、固定部材５３とカシメ部材５４とがカシメ固定されたときに、カシメ部材５４の一部が入り込むようになっている。
【００９２】
なお、切り欠き溝６５には、背面側にテーパ状の面取り部を形成することが好ましい。面取り部がカシメ部材５４を切り欠き溝６５に挿入する際のガイド部として作用するので、よりスムーズにカシメ部材５４を切り欠き溝６５へ案内することが可能になる。
【００９３】
次に、カシメ部材５４の構成について、図１０に基づいて説明する。なお、カシメ部材５４の説明において、図１０中の右側を前側、左側を奥側、上側を左側、下側を右側とする。図１０に示すように、カシメ部材５４はカシメ部７０を有しており、このカシメ部７０の周囲に、左右の側壁部５４ａ，５４ｂと奥側の側壁部５４ｃが形成されている。また、左右の側壁部５４ａ，５４ｂの前側には上壁部５４ｄが設けられており、正面から見た場合に左右の側壁部５４ａ，５４ｂと上壁部５４ｄとでコ字形に形成され、前側が開口するように形成されている。この開口は、カシメ部材５４を固定部材５３へ取り付ける時に、固定部材本体６１の嵌め込みが可能な大きさに形成されている。
【００９４】
カシメ部７０は正面に向かって延出するように形成され、先端側には、該先端側よりも奥側へ行くにつれて幅が広くなり、弾性変形することが可能な斜面部７０ａが矢印形状になるように形成されている。また、カシメ部７０の基端側は上下左右に大きく形成された基部７１と、該基部７１と奥側の側壁部５４ｃとの間に形成された薄肉部７２とが形成されている。すなわち、カシメ部７０は、薄肉部７２と基部７１を介して、奥側の側壁部５４ｃから正面に向けて延出するように形成されている。薄肉部７２は、切断されやすい肉厚を有するように形成されており、カシメ部材７０が固定部材５３にカシメ固定されている状態からカシメ固定を解除する際に、ニッパー等を用いて切断することができるように形成されている。なお、この薄肉部７２には、カシメ部７０を固定部材５３の切り欠き溝６５中へ嵌め込む際に加わる荷重によって破壊されないように、下側に補強部７２ａが設けられている。なお、カシメ部材５４の材質としては、斜面部が弾性変形可能なものであればどのようなものでも用いることができるが、入手しやすさや加工性等の面から鑑みると、プラスチック等の樹脂材料を用いることが好ましい。
【００９５】
［不正着脱防止手段５１の取付］
スロットマシン１における不正着脱防止手段５１の取付方法の例について、図７、図８及び図１３から図１７を適宜用いて説明する。図８は、リールユニット６が本体キャビネット２に支持される前のリールユニット支持部１０とその周囲の状態が示されており、この状態では、本体キャビネット２のリールユニット支持部１０にリールユニット６のリールユニット支持受け部４８が挿通されていない。次に、図１３に示すようにリールユニット支持受け部４８をＡ方向に移動させて、リールユニット支持部１０の支持ピン１０ｂをリールユニット支持受け部４８の長孔に挿通させる。そして、図１４に示すように、支持ピン１０ｂを長孔に挿通させて、リールユニット支持受け部４８がリールユニット支持部１０と係合させる。
【００９６】
次に、図１５に示すように固定部材５３を取り付ける。固定部材５３は、挿通孔６７内にリールユニット支持部１０の支持ピン１０ｂを挿通させた後に、挿通部６２を回転中心として図１５中のＢ方向に回転させる。そして、ベース部材５２のガイド片５５ａ，５５ｂの間に固定部材５３を位置させる。次に、図１６に示すように、カシメ部材５４を固定部材５３の背面側から取り付ける。
【００９７】
このとき、カシメ部材５４のカシメ部７０は、図１７に示すように変形する。すなわち、図１７に示すように、カシメ部材５４のカシメ部７０は、固定部材５３に差し込まれる前は斜面部７０ａが所定角度を持った状態を維持している。図中のＣ方向にカシメ部材５４を移動させると、図１７に示すように、カシメ部７０は、ベース部材５２の固定片５６に形成された固定孔５７に挿通した後、固定部材５３に形成された切り欠き溝６５の内部に入り込む。そして、さらに上記したＣ方向へカシメ部材５４を移動させると、カシメ部７０の斜面部７０ａの広がり幅が切り欠き溝６５の溝幅よりも大きいために、斜面部７０ａの外周面と切り欠き溝６５の内周面が接触する。この後、さらにカシメ部材５４をＣ方向へ移動させると、カシメ部７０がすぼまる方向へ力が加わり、カシメ部７０は図１７中のＤ方向へ弾性変形する。
【００９８】
その後、さらにカシメ部材５４を図中のＣ方向に移動させると、斜面部７０ａの末端が固定部材５３の切り欠き溝６５を通過し、内部空間６４内に到達する。このときのカシメ部７０には、すぼまる方向への力が加わらなくなり、図１７Ｂ中のＤ方向へ弾性変形していた斜面部は元の形状に復元して図１７Ｃに示すような状態になり、カシメ部材５４と固定部材５３とがカシメ固定される。カシメ部材５４を固定部材５３にカシメ固定すると、固定部材本体６１に形成された内部空間６４にカシメ部７０が挿入される。そのため、カシメ部材５４は、図１７Ｃ中のＥ方向へ移動することが出来なくなる。このとき、図７に示すように、カシメ部材５４の上壁部５４ｄは、固定部材５３の突出部６６と固定部材本体６１との間に形成されている空間内に入り込む。この空間内に上壁部５４ｄを入り込ませることにより、図１５中のＢ方向と反対の方向へ固定部材５３が回動するのを防止するようになる。
【００９９】
カシメ部材５４のカシメ固定を解除するには、まずニッパー等で薄肉部７２を切断して、カシメ部材５４を図１６中のＣ方向と反対の方向へ移動させて、カシメ部材５４を取り除く。これにより、固定部材５３の突出部６６と固定部材本体６１との間の空間内に上壁部５４ｄが介在しなくなるので、固定部材５３は、図１５中のＢ方向と反対の方向（以下、Ｂ´方向という。）へ回動させることができるようになる。そして、ベース部材５２のガイド片５５ａ，５５ｂにより上下方向の移動が規制されない位置まで固定部材５３をＢ´方向へ回動させると、上下方向へ移動させることが出来るようになる。次に、固定部材５３を上方向に移動させて、リールユニット支持部１０の支持ピン１０ｂから取り外す。支持ピン１０ｂから固定部材５３が取り除かれると、リールユニット支持受け部４８は上方向へ移動させることができるようになり、リールユニット６を本体キャビネット２から取り外すことができる。
【０１００】
本実施の形態のスロットマシン１は、ベース部材５２の固定孔５７を挿通したうえでカシメ部７０を固定部材５３にカシメ固定すると、固定部材５３は本体キャビネット２に固定され、上下方向及び挿通孔６２を軸とする回転方向へ動くことが規制される。そのため、固定部材５３をリールユニット支持部１０の支持ピン１０ｂから取り外すことが容易でなくなり、挿通部６２の下方に位置するリールユニット支持受け部４８を支持ピン１０ｂから抜きだすことが困難となる。したがって、不正行為を行おうとする者が、リールユニット６に取付固定されている主制御基板４０を、例えば当選確率が高くなるように設定した不正な制御基板に付け替える目的でリールユニット６を交換するという不正行為を行うことが効果的に防止される。また、仮にリールユニット６を本体キャビネット２から取り外す場合には、カシメ部材５４の薄肉部７２を切断しなければならないので、不正にリールユニット６を取り外すという不正行為が実施された場合には、その不正行為の痕跡が残る。そのため、日常点検などで不正行為が行われたことを容易に発見しやすくすることができ、遊技店が過大な不利益を受けることを防止することが可能になる。
【０１０１】
なお、本実施の形態では、不正着脱防止手段のベース部は本体キャビネットに取り付けられているものとして説明したが、ベース部材は本体キャビネットと一体的に形成してもよいし、本体キャビネットとは別の部材として形成してもよい。また、ベース部は、リールユニットに形成してもよい。
【符号の説明】
【０１０２】
１・・・スロットマシン、２・・・本体キャビネット、３・・・前扉、４ａ・・・第１リール、４ｂ・・・第２リール、４ｃ・・・第３リール、５・・・液晶表示装置、６・・・リールユニット、８・・・共通支持部、９・・・前扉支持部、１０・・・リールユニット支持部、１１・・・係止部、１２・・・係合部、２８・・・表示窓部、３２・・・前扉共通支持受け部、３３・・・前扉支持受け部、３５・・・制御基板、３６・・・取付部材、３７・・・装飾部材、４０・・・主制御基板、４１・・・副制御基板、４４・・・ラッチ固定具、４５・・・凹部、４７・・・リールユニット共通支持受け部、４８・・・リールユニット支持受け部、５１・・・不正着脱防止手段、５２・・・ベース部材、５３・・・固定部材、５４・・・カシメ部材、７０・・・カシメ部、９１・・・カバー体、９２・・・嵌着部、９３・・・止着孔、９４・・・段差部、９５・・・開口、９６・・・延出部、９７・・・基部、９８・・・鍔部、９９・・・係止爪、１００・・・伸出部、１０１・・・傾斜部、１０２・・・凹み部、１０３・・・囲い構造体、１０３ａ、１０３ｂ、１０３ｃ・・・立片、１０４・・・係止鉤片、１０５・・・係止鉤片受け孔、１０６・・・切り欠き部、１０７・・・掛止片、１０８・・・通孔、１０９・・・通孔、１１０・・・受け部、１１１・・・陥没部、１１２・・・空間、１１３・・・把持部、１１４・・・上下凹凸部、１１５・・・前後凹凸部、１１６・・・カバー体の凹凸部、１１７・・・突片、１１８・・・差込口、１１９・・・立壁片、１４６・・・取付部材の壁部、１４６ａ・・・背面壁部、１４６ｂ・・・右側面壁部、１４６ｃ・・・左側面壁部、１４７・・・枠部、１４８・・・突出枠部、１４９・・・側方枠部、１５０・・・接続構造、１５１・・・コネクター受け、１５２・・・配線、１５３・・・コネクター、１５４・・・コネクター出口孔、１５５・・・接続部材、１６０・・・連結手段、１６１・・・ロック部、１６２・・・バンド部、１６３・・・挿通空間部、１６４・・・固定端、１６５・・・自由端、１６６・・・第一通孔部、１６７・・・第二通孔部、１６８・・・取付孔、１６９・・・取付突片
【図１】
0005877759.tif 000002
【図２】
0005877759.tif 000003
【図３】
0005877759.tif 000004
【図４】
0005877759.tif 000005
【図５】
0005877759.tif 000006
【図６】
0005877759.tif 000007
【図７】
0005877759.tif 000008
【図８】
0005877759.tif 000009
【図９】
0005877759.tif 000010
【図１０】
0005877759.tif 000011
【図１１】
0005877759.tif 000012
【図１２】
0005877759.tif 000013
【図１３】
0005877759.tif 000014
【図１４】
0005877759.tif 000015
【図１５】
0005877759.tif 000016
【図１６】
0005877759.tif 000017
【図１７】
0005877759.tif 000018
【図１８】
0005877759.tif 000019
【図１９】
0005877759.tif 000020
【図２０】
0005877759.tif 000021
【図２１】
0005877759.tif 000022
【図２２】
0005877759.tif 000023
【図２３】
0005877759.tif 000024
【図２４】
0005877759.tif 000025